(57)【要約】      （修正有）【課題】回路構成を簡素化することができ、小型化および低コスト化を図ることができる電源制御装置を得る。【解決手段】交流電源１から第１直流電源電圧を生成する電力変換部１００と、第１直流電源電圧から第１直流電源電圧よりも低い一定の低電圧の第２直流電源電圧を生成する直流電圧変換部２００と、第１直流電源電圧の電圧値を設定すると共に、第１直流電源電圧が設定された電圧値になるように、電力変換部１００の出力電圧安定化制御を行う電圧制御部３００と、第２直流電源電圧が供給され、機器の他各構成部からの情報に基づいて、機器の動作モードを設定すると共に、前記動作モードおよび前記動作モードに基づく負荷状況に応じて、電圧制御部３００を制御する主制御部４００と、を備える。【選択図】図１
2012165560.tif 000002
【特許請求の範囲】
【請求項１】
機器を構成する一構成部であり、前記機器の各他構成部に供給する直流電源電圧を制御する電源制御装置において、
交流電源から第１直流電源電圧を生成する電力変換部と、
前記第１直流電源電圧から前記第１直流電源電圧よりも低い一定の低電圧の第２直流電源電圧を生成する直流電圧変換部と、
前記第１直流電源電圧の電圧値を設定すると共に、前記第１直流電源電圧が設定した電圧値になるように、前記電力変換部の出力電圧安定化制御を行う電圧制御部と、
前記第２直流電源電圧が供給され、前記各他構成部からの情報に基づいて、前記機器の動作モードを設定すると共に、前記動作モードおよび前記動作モードに基づく負荷状況に応じて、前記電圧制御部を制御する主制御部と、
を備えることを特徴とする電源制御装置。
【請求項２】
前記主制御部は、前記負荷状況の変化に伴う前記第１直流電源電圧の電圧降下を見込み、前記第１直流電源電圧の電圧降下を補うように、前記電圧制御部を制御することを特徴とする請求項１に記載の電源制御装置。
【請求項３】
前記主制御部は、前記動作モードが前記機器に対する運転要求を待っている運転待機モードである場合に、前記第１直流電源電圧が前記第２直流電源電圧よりも高い一定の低電圧になるように、前記電圧制御部を制御することを特徴とする請求項１または２に記載の電源制御装置。
【請求項４】
前記主制御部は、前記動作モードが前記運転要求に応じた運転モードである場合に、所定の動作クロック周波数で動作し、前記運転待機モードにおいて、前記所定の動作クロック周波数よりも低い動作クロック周波数で動作することを特徴とする請求項１〜３のいずれか一項に記載の電源制御装置。
【発明の詳細な説明】
【技術分野】
【０００１】
本発明は、電源制御装置に関する。
【背景技術】
【０００２】
従来、エアコン等の空気調和機（以下「空調機」という）においては、運転中における負荷変動により、ファンモータ等の制御回路用の電源電圧が不安定となる場合がある。このため、ファンモータの制御回路や主制御回路の電源電圧を安定化する定電圧回路を備えている。一方、運転待機中（ファンモータ停止中）においては、ファンモータの制御回路やその定電圧回路による電力消費を抑制するため、ファンモータの運転中にはファンモータの制御回路やその定電圧回路への電源供給を行い、運転待機中にはこれらの回路への電源供給を遮断するファンモータ制御回路用電源供給手段を備えている。（例えば、特許文献１）
【先行技術文献】
【特許文献】
【０００３】
【特許文献１】特開２０００−２６２０８６号公報
【発明の概要】
【発明が解決しようとする課題】
【０００４】
しかしながら、上記従来技術では、上述したように定電圧回路やファンモータ制御回路用電源供給手段等を設ける必要があるため、回路構成が複雑になり、占有面積の増大やコストの増加を招く、という問題点があった。
【０００５】
本発明は、上記に鑑みてなされたものであって、回路構成を簡素化し、小型化および低コスト化を図ることを可能とする電源制御装置を提供することを目的とする。
【課題を解決するための手段】
【０００６】
上述した課題を解決し、目的を達成するため、本発明にかかる電源制御装置は、機器を構成する一構成部であり、前記機器の各他構成部に供給する直流電源電圧を制御する電源制御装置において、交流電源から第１直流電源電圧を生成する電力変換部と、前記第１直流電源電圧から前記第１直流電源電圧よりも低い一定の低電圧の第２直流電源電圧を生成する直流電圧変換部と、前記第１直流電源電圧の電圧値を設定すると共に、前記第１直流電源電圧が設定した電圧値になるように、前記電力変換部の出力電圧安定化制御を行う電圧制御部と、前記第２直流電源電圧が供給され、前記各他構成部からの情報に基づいて、前記機器の動作モードを設定すると共に、前記動作モードおよび前記動作モードに基づく負荷状況に応じて、前記電圧制御部を制御する主制御部と、を備えることを特徴とする。
【発明の効果】
【０００７】
本発明によれば、回路構成を簡素化することができ、小型化および低コスト化を図ることができる、という効果を奏する。
【図面の簡単な説明】
【０００８】
【図１】図１は、実施の形態にかかる電源制御装置を空調機の室内ユニットに適用した一例を示す図である。
【図２】図２は、主制御部の処理手順の一例を示すフローチャートである。
【発明を実施するための形態】
【０００９】
以下に添付図面を参照し、本発明の実施の形態にかかる電源制御装置について説明する。なお、以下に示す実施の形態により本発明が限定されるものではない。
【００１０】
実施の形態．
図１は、実施の形態にかかる電源制御装置を空調機の室内ユニットに適用した一例を示す図である。なお、図１に示す電源制御装置が適用される空調機は、動作モードとして、通常の運転を行う運転モードと、空調機への運転要求の待ち受け状態である運転待機モードとを有している。
【００１１】
図１に示すように、実施の形態にかかる電源制御装置は、商用交流電源１から空調機の室内ユニット各部および室外ユニット各部に供給する第１直流電源電圧を生成する電力変換部１００と、第１直流電源電圧から第１直流電源電圧よりも低い一定の低電圧の第２直流電源電圧を生成する直流電圧変換部２００と、第１直流電源電圧の電圧値を設定すると共に、第１直流電源電圧が設定した電圧値になるように、電力変換部１００の出力電圧安定化制御を行う電圧制御部３００と、第２直流電源電圧が供給され、空調機各部からの情報に基づいて、空調機の動作モードを設定すると共に、動作モードおよび動作モードに基づく負荷状況に応じて、電圧制御部３００を制御する主制御部４００とを備えている。
【００１２】
電力変換部１００は、交流商用電源１から交流電力が供給され、直流電力に変換するブリッジ整流回路２と、ブリッジ整流回路２の出力端子間に接続された平滑用電解コンデンサ５と、１次巻線３ａ、２次巻線３ｂ、および補助巻線３ｃを含むスイッチングトランス３と、スイッチングトランス３の２次巻線３ｂおよび補助巻線３ｃから出力される電圧を制御する電源制御部４と、２次巻線３ｂの両端間に接続された整流ダイオード６および平滑用電解コンデンサ８からなる平滑回路５００と、補助巻線３ｃの両端間に接続された整流ダイオード２４および平滑用電解コンデンサ２６からなる平滑回路６００とを備えている。
【００１３】
平滑回路５００の出力端２８には、直流電圧変換部２００と、電圧制御部３００と、駆動回路２３により駆動される室外給電用リレー９および風向制御用ステッピングモータ１０とが接続される。この出力端２８から出力される第１直流電源電圧（ここでは、運転モードにおいて約１２Ｖ）を、以下「２次直流電源電圧」という。また、平滑回路６００の出力端２５には、ファンモータ（Ｆ／Ｍ）２７の制御回路２９が接続される。この出力端２５から出力される第１直流電源電圧（ここでは、運転モードにおいて約１５Ｖ）を、以下「補助直流電源電圧」という。
【００１４】
直流電圧変換部２００は、低飽和型レギュレータ７を備え、２次直流電源電圧から２次直流電源電圧よりも低い一定の低電圧（ここでは、５Ｖ）の第２直流電源電圧を生成する。この第２直流電源電圧を、以下「制御直流電源電圧」という。この制御直流電源電圧は、主制御部４００、リモコン受信回路２１、本体運転スイッチ回路２２等に供給される。
【００１５】
電圧制御部３００は、電流制限抵抗１１と、フォトカプラ１２と、シャントレギュレータ１３と、電圧変更部７００とを備えている。平滑回路５００の出力端２８は、電流制限抵抗１１、フォトカプラ１２の発光素子１２ａ、および誤差増幅器であるシャントレギュレータ１３を介して接地しており、２次直流電源電圧の電圧値に応じてフォトカプラ１２の受光素子１２ｂに電流が流れる。なお、この電流は、電源制御部４の帰還電流であり、電源制御部４は、この帰還電流に基づいて、電力変換部１００の出力電圧安定化制御を行う。
【００１６】
電圧変更部７００は、運転待機モード時において２次直流電源電圧を分圧する分圧抵抗１４および分圧抵抗１５と、分圧抵抗１５に並列に接続され、分圧抵抗１６とトランジスタ１８とからなる直列回路と、同様に分圧抵抗１５に並列に接続され、分圧抵抗１７とトランジスタ１９とからなる直列回路とを備えている。これら各分圧抵抗１４〜１７の接続点は、シャントレギュレータ１３の基準入力端子に接続される。
【００１７】
主制御部４００は、制御直流電源電圧が供給され、駆動回路２３やファンモータ制御回路２９等を制御するマイコン２０を備えている。本実施の形態では、マイコン２０は、例えば、図示しない検知部等からの温度や湿度等の検知情報や、リモコン受信回路２１や本体運転スイッチ回路２２等からの設定温度や設定湿度等の詳細な設定情報に基づいて、空調機の動作モードを設定すると共に、動作モードおよび動作モードに基づく負荷状況に応じて、電圧制御部３００を制御する機能を有している。
【００１８】
つぎに、実施の形態にかかる電源制御装置の動作について説明する。ここでは、まず、実施の形態にかかる電源制御装置が適用される空調機の動作モードと、各動作モードにおける２次直流電源電圧および補助直流電源電圧の制御概念について説明する。
【００１９】
運転待機モードでは、商用交流電源１から交流電力が供給され、電源制御部４が起動した状態で、マイコン２０がリモコン受信回路２１あるいは本体運転スイッチ回路２２からの運転要求を待っている待ち受け状態である動作モードである。この運転待機モードでは、室外給電用リレー９、風向制御用ステッピングモータ１０、およびファンモータ２７を停止させ、マイコン２０、リモコン受信部２１、および本体運転スイッチ回路２２を動作させた状態とする。したがって、マイコン２０は、室外給電用リレー９、風向制御用ステッピングモータ１０、およびファンモータ２７をオフに制御すると共に、電圧制御部３００を制御して、２次直流電源電圧および補助直流電源電圧をそれぞれ所定の動作電圧よりも低下させ、マイコン２０自体は動作した状態を保つように、つまり、２次直流電源電圧が制御直流電源電圧よりも高い一定の低電圧となるように制御し、実質的に室外給電用リレー９、風向制御用ステッピングモータ１０、およびファンモータ２７の動作を停止させて消費電力を低減させる。
【００２０】
一方、運転モードでは、マイコン２０がリモコン受信回路２１あるいは本体運転スイッチ回路２２からの運転要求を受け付け、室外給電用リレー９、風向制御用ステッピングモータ１０、およびファンモータ２７をオンに制御すると共に、電圧制御部３００を制御して、２次直流電源電圧および補助直流電源電圧がそれぞれ所定の動作電圧となるように制御する。なお、例えば、設定温度と室温とがほぼ等しく、設定温度に室温を保つように運転する場合の運転モードを、以下「通常運転モード」という。この通常運転モードでは、マイコン２０は、２次直流電源電圧および補助直流電源電圧がそれぞれ室外給電用リレー９、風向制御用ステッピングモータ１０、およびファンモータ２７の所定の動作電圧となるように制御する。
【００２１】
さらに、例えば、設定温度が室温よりも高い、あるいは低い場合に、室温を設定温度まで上昇あるいは下降させるように運転する場合には、通常運転モードよりも高負荷となる。このときの運転モードを、以下「高負荷運転モード」という。この高負荷運転モードでは、２次直流電源電圧の電圧降下が発生すると共に、２次巻線３ｂと補助巻線３ｃとの間のクロスレギュレーションが悪化し、補助直流電源電圧の電圧降下が発生する。したがって、マイコン２０は、高負荷運転モードでは、これらの２次直流電源電圧および補助直流電源電圧の電圧降下を見込み、電圧制御部３００を制御して、２次直流電源電圧および補助直流電源電圧を上昇させ、２次直流電源電圧および補助直流電源電圧の電圧降下を補うように制御する。
【００２２】
つぎに、電圧制御部３００による２次直流電源電圧および補助直流電源電圧の制御手法について説明する。本実施の形態では、電圧変更部７００の各分圧抵抗１４〜１７の各抵抗値と、スイッチングトランス３の２次巻線３ｂおよび補助巻線３ｃの巻数比を適切に設定することにより、上述した各動作モード毎に２次直流電源電圧および補助直流電源電圧の電圧値を適切に制御可能とする。
【００２３】
ここで、２次直流電源電圧をＶ１、補助直流電源電圧をＶ２、シャントレギュレータ１３の基準入力端子電圧をＶｓとし、分圧抵抗１４の抵抗値をｒ１４、分圧抵抗１５の抵抗値をｒ１５、分圧抵抗１６の抵抗値をｒ１６、分圧抵抗１７の抵抗値をｒ１７とし、２次巻線３ｂの巻数をｎｂ、補助巻線３ｃの巻数をｎｃとすると、下記の各（１），（２）式が得られる。
【００２４】
Ｖ１／Ｖｓ＝（ｒ１４＋（ｒ１５／／ｒ１６／／ｒ１７））
／（ｒ１５／／ｒ１６／／ｒ１７）…（１）
Ｖ２／Ｖ１＝（１／ｎｂ）／（１／ｎｃ）…（２）
【００２５】
シャントレギュレータ１３の基準入力端子電圧Ｖｓは不変であるので、上記した（１）式において、ｒ１６およびｒ１７が無限大、つまり、各トランジスタ１８，１９がオフの状態で、２次直流電源電圧Ｖ１が最も小さくなる。したがって、運転待機モードでは、マイコン２０は、各トランジスタ１８，１９をオフとして各分圧抵抗１６，１７を分圧抵抗１５から切り離す。
【００２６】
例えば、基準入力端子電圧Ｖｓを２．５Ｖとし、２次直流電源電圧Ｖ１が基準入力端子電圧Ｖｓの３倍の７．５Ｖとなるように設定する場合には、分圧抵抗１４の抵抗値ｒ１４および分圧抵抗１５の抵抗値ｒ１５の関係式は、下記の（３）式となる。
【００２７】
Ｖ１／Ｖｓ＝７．５Ｖ／２．５Ｖ＝３／１
＝（ｒ１４＋ｒ１５）／ｒ１５…（３）
【００２８】
一方、通常運転モードでは、２次直流電源電圧Ｖ１が所定の動作電圧（ここでは、例えば１２．５Ｖ）となるように設定する。この場合には、マイコン２０は、各トランジスタ１８，１９のうちの一方（ここでは、トランジスタ１８）をオンとして、そのトランジスタ（ここでは、トランジスタ１８）に接続された分圧抵抗（ここでは、分圧抵抗１６）を分圧抵抗１５に並列に接続し、他方（ここでは、トランジスタ１９）をオフとして、そのトランジスタ（ここでは、トランジスタ１８）に接続された分圧抵抗（ここでは、分圧抵抗１７）を分圧抵抗１５から切り離す。このとき、分圧抵抗１４の抵抗値ｒ１４、分圧抵抗１５の抵抗値ｒ１５、および分圧抵抗１６の抵抗値ｒ１６の関係式は、下記の（４）式となる。
【００２９】
Ｖ１／Ｖｓ＝１２．５Ｖ／２．５Ｖ＝５／１
＝（ｒ１４＋（ｒ１５／／ｒ１６））／（ｒ１５／／ｒ１６）…（４）
【００３０】
また、補助直流電源電圧Ｖ２が所定の動作電圧（ここでは、例えば１４．５Ｖ）となるようにする場合には、２次巻線３ｂの巻数ｎｂおよび補助巻線３ｃの巻数ｎｃの関係式は、下記の（５）式となる。
【００３１】
Ｖ２／Ｖ１＝１４．５Ｖ／１２．５Ｖ≒１５／１３
＝（１／ｎｂ）／（１／ｎｃ）…（５）
【００３２】
ここで、上記（５）式を変形して運転待機モードにおける２次直流電源電圧を代入すると、下記のように運転待機モードにおける補助直流電源電圧Ｖ２が得られる。
Ｖ２＝（１５／１３）×Ｖ１＝（１５／１３）×７．５Ｖ≒８．７Ｖ
【００３３】
また、高負荷運転モードでは、上述したように、２次直流電源電圧Ｖ１および補助直流電源電圧Ｖ２は、実際には負荷上昇に伴い電圧降下が発生する。このため、この電圧降下を実機による動作検証やシミュレーション等により求め、高負荷運転モードにおいて所定の動作電圧付近の電圧値に適正に補正されるように、２次直流電源電圧Ｖ１が所定の動作電圧（ここでは、例えば１２．５Ｖ）よりも高い電圧（ここでは、１３．１Ｖ）となるように設定する。この場合には、マイコン２０は、各トランジスタ１８，１９のうちの一方（ここでは、トランジスタ１８）をオフとして、そのトランジスタ（ここでは、トランジスタ１８）に接続された分圧抵抗（ここでは、分圧抵抗１６）を分圧抵抗１５から切り離し、他方（ここでは、トランジスタ１９）をオンとして、そのトランジスタ（ここでは、トランジスタ１９）に接続された分圧抵抗（ここでは、分圧抵抗１７）を分圧抵抗１５に並列に接続する。このとき、分圧抵抗１４の抵抗値ｒ１４、分圧抵抗１５の抵抗値ｒ１５、および分圧抵抗１７の抵抗値ｒ１７の関係式は、下記の（６）式となる。
【００３４】
Ｖ１／Ｖｓ＝１３．１Ｖ／２．５Ｖ≒２１／４
＝（ｒ１４＋（ｒ１５／／ｒ１７））／（ｒ１５／／ｒ１７）…（６）
【００３５】
また、このとき、高負荷運転モードにおける補助直流電源電圧Ｖ２は、
Ｖ２＝（１５／１３）×Ｖ１＝（１５／１３）×１３．１Ｖ≒１５．１Ｖ
となる。
【００３６】
したがって、上記した（３），（４），（６）の各式を満たすように、分圧抵抗１４の抵抗値ｒ１４、分圧抵抗１５の抵抗値ｒ１５、分圧抵抗１６の抵抗値ｒ１６、分圧抵抗１７の抵抗値ｒ１７を求めることにより、２次直流電源電圧Ｖ１がそれぞれの動作モード毎に設定した電圧値となり、上記した（５）式を満たすように、２次巻線３ｂの巻数ｎｂ、および補助巻線３ｃの巻数ｎｃを求めることにより、補助直流電源電圧Ｖ２は、各動作モード毎に２次直流電源電圧Ｖ１に比例した電圧値となる。これにより、運転待機モードでは、２次直流電源電圧Ｖ１および補助直流電源電圧Ｖ２を所定の動作電圧よりも低下させることができ、高負荷運転モードでは、２次直流電源電圧Ｖ１および補助直流電源電圧Ｖ２を所定の動作電圧よりも高くなるように制御することができる。
【００３７】
なお、高負荷運転モードでは、２次直流電源電圧Ｖ１および補助直流電源電圧Ｖ２は、上述したように、実際には負荷上昇に伴い電圧降下が発生するため、上記した値にはならず、所定の動作電圧付近の電圧値となる。
【００３８】
つぎに、実施の形態にかかる電源制御装置における主制御部４００の処理フローについて、図１および図２を参照して説明する。図２は、主制御部の処理手順の一例を示すフローチャートである。
【００３９】
空調機に電源が投入されると、商用交流電源１から供給された交流電圧は、ブリッジ整流回路２により全波整流され、平滑用電解コンデンサ５により平滑される。平滑された電圧が所定電圧以上になると、電源制御部４が起動し、スイッチングトランス３の２次巻線３ｂに２次電圧が発生する。そして、低飽和型レギュレータ７を介してマイコン２０に電源が供給されると、マイコン２０は、トランジスタ１８，１９、駆動回路２３、およびファンモータ制御回路２９がオフとなるように初期設定する（ステップＳＴ１０１）。
【００４０】
つぎに、マイコン２０は、リモコン受信回路２１、あるいは本体運転スイッチ回路２２からの運転要求信号が入力されたか否かを判定し（ステップＳＴ１０２）、運転要求信号が入力されていない場合は（ステップＳＴ１０２；Ｎｏ）、トランジスタ１８，１９、駆動回路２３、およびファンモータ制御回路２９をオフした状態を保ち、運転待機モードに移行し（ステップＳＴ１０３）、運転要求信号が入力されるまで、ステップＳＴ１０２およびステップＳＴ１０３の処理を繰り返す。
【００４１】
運転要求信号が入力されると（ステップＳＴ１０２；Ｙｅｓ）、マイコン２０は、リモコン受信回路２１、あるいは本体運転スイッチ回路２２からの設定温度や設定湿度等の詳細な設定情報および図示しない検出部からの温度や湿度等の検知情報に基づいて、高負荷状態であるか否かを判定する（ステップＳＴ１０４）。
【００４２】
高負荷状態ではない場合において（ステップＳＴ１０４；Ｎｏ）、それまでの動作モードが運転待機モードであった場合には、マイコン２０は、トランジスタ１８、駆動回路２３、およびファンモータ制御回路２９をオフからオンに制御し、それまでの動作モードが高負荷運転モードであった場合には、トランジスタ１８をオフからオンに、トランジスタ１９をオンからオフに制御し、通常運転モードに移行する。なお、それまでの動作モードが通常運転モードであった場合には、通常運転モードを継続する（ステップＳＴ１０５）。
【００４３】
高負荷状態である場合において（ステップＳＴ１０４；Ｙｅｓ）、それまでの動作モードが運転待機モードであった場合には、マイコン２０は、トランジスタ１９、駆動回路２３、およびファンモータ制御回路２９をオフからオンに制御し、それまでの動作モードが通常運転モードであった場合には、トランジスタ１８をオンからオフに、トランジスタ１９をオフからオンに制御し、高負荷運転モードに移行する。なお、それまでの動作モードが高負荷運転モードであった場合には、高負荷運転モードを継続する（ステップＳＴ１０６）。
【００４４】
続いて、マイコン２０は、リモコン受信回路２１、あるいは本体運転スイッチ回路２２からの停止要求信号が入力されたか否かを判定し（ステップＳＴ１０７）、停止要求信号が入力された場合は（ステップＳＴ１０７；Ｎｏ）、それまでの動作モードを継続し、停止要求信号が入力されるまで、ステップＳＴ１０４〜ステップＳＴ１０７の処理を繰り返す。
【００４５】
停止要求信号が入力されると（ステップＳＴ１０７；Ｙｅｓ）、ステップＳＴ１０３の処理に戻り、トランジスタ１８、トランジスタ１９、駆動回路２３、およびファンモータ制御回路２９がオフに設定され、運転待機モードに移行する。以降、ステップＳＴ１０２〜ステップＳＴ１０７の処理を繰り返す。
【００４６】
以上説明したように、実施の形態の電源制御装置によれば、高負荷運転モードでは、通常運転モードよりも２次直流電源電圧および補助直流電源電圧が高くなるように制御するようにしたので、実際にはその負荷上昇に伴い電圧降下が発生し、所定の動作電圧付近の電圧値に適正に補正されるので、ファンモータ制御回路等の電源電圧を安定化させる定電圧回路を別途設ける必要がない。したがって、回路構成を簡素化することができ、小型化および低コスト化を図ることができる。
【００４７】
また、運転待機モードでは、室外給電用リレー、風向制御用ステッピングモータ、およびファンモータをオフに制御すると共に、２次直流電源電圧および補助直流電源電圧をそれぞれ所定の動作電圧よりも低下させ、実質的に室外給電用リレー、風向制御用ステッピングモータ、およびファンモータの動作を停止させるようにしたので、運転待機モードにおける消費電力の削減のために、これらの回路への電源供給を遮断する回路を別途設ける必要がない。したがって、さらなる回路構成の簡素化、装置の小型化および低コスト化を図ることができると共に、運転待機モードにおける消費電力を削減することが可能となる。
【００４８】
なお、上述した実施の形態では、空調機の運転モードを通常運転モードと高負荷運転モードとに分け、２次直流電源電圧および補助直流電源電圧が通常運転モードと高負荷運転モードとの２段階となるように構成したが、さらに負荷状況に応じた３つ以上の運転モードに分け、２次直流電源電圧および補助直流電源電圧が３段階以上設定できる構成とすることも可能である。
【００４９】
また、主制御部のマイコンは、運転モードでは所定の動作クロック周波数で動作するが、運転待機モードにおいて、マイコンの動作クロック周波数を低下させ、運転モードにおける所定の動作クロック周波数よりも低い動作クロック周波数で動作するようにすることも可能である。これにより、運転待機モードにおける消費電力をさらに削減することができる。
【００５０】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【符号の説明】
【００５１】
１  商用交流電源
２  ブリッジ整流回路
３  スイッチングトランス
３ａ  １次巻線
３ｂ  ２次巻線
３ｃ  補助巻線
４  電源制御部
５，８，２６  平滑用電解コンデンサ
６，２４  整流ダイオード
７  低飽和型レギュレータ
９  室外給電リレー
１０  風向制御用ステッピングモータ
１１  電流制限抵抗
１２  フォトカプラ
１３  シャントレギュレータ
１４〜１７  分圧抵抗
１８，１９  トランジスタ
２０  マイクロコンピュータ（マイコン）
２１  リモコン受信回路
２２  本体運転スイッチ回路
２３  駆動回路
２５  出力端（補助直流電源電圧）
２７  ファンモータ（Ｆ／Ｍ）
２８  出力端（２次直流電源電圧）
２９  ファンモータ制御回路
１００  電力変換部
２００  直流電圧変換部
３００  電圧制御部
４００  主制御部
５００  平滑回路（２次直流電源電圧）
６００  平滑回路（補助直流電源電圧）
７００  電圧変更部
【図１】
2012165560.tif 000003
【図２】
2012165560.tif 000004